(57)【要約】【課題】  容易に剥離可能であり、かつ落下事故などにより剥離することのない隔壁を備えた液体収容バッグを提供する。【解決手段】  液体収容バッグは、上部がチャックシール２のような開閉自在な閉鎖手段で閉鎖されており、下部に液体出口４が設けられ、開閉自在な閉鎖手段に近接して容易に剥離可能な隔壁（弱シール部３）が設けられている。液体収容バッグの内部空間はこの弱シール部３により上下に流体密に区画されており、下側の内部空間（液体収容室１）には液体（例えば、濃縮経腸栄養剤）が収容されている。そして弱シール部３は、中央部３１が山形に形成されるとともに、両端部３２方向に漸次拡幅されている。【選択図】  図１
2005040630.tif 000002
【特許請求の範囲】
【請求項１】
上部が開閉自在な閉鎖手段で閉鎖されるとともに下部に液体出口が設けられてなる袋体の内部空間が、前記閉鎖手段に近接して下方に設けられた容易に剥離可能な帯状の弱シール部よりなる隔壁により上下に流体密に区画され、該区画された下側の空間にのみ液体が収容されてなるバッグであって、前記隔壁は、中央部が前記開閉自在な閉鎖手段側に向って丸みを帯びた山形に形成されるとともに、中央部から両端部に向ってシール幅が漸次拡幅されてなる液体収容バッグ。
【請求項２】
前記開閉自在な閉鎖手段より上側の部分をシールして該閉鎖自在な閉鎖手段を密封してなる請求項１に記載の液体収容バッグ。
【請求項３】
前記開閉自在な閉鎖手段を密封する側辺シール部分にノッチが設けられた請求項２に記載の液体収容バッグ。
【請求項４】
前記隔壁の両端部の幅が中央部における開閉自在な閉鎖手段側に向って丸みを帯びた山形部分の幅の２倍以上である請求項１〜３のいずれかに記載の液体収容バッグ。
【請求項５】
前記開閉自在な閉鎖手段がチャックシールである請求項１〜４のいずれかに記載の液体収容バッグ。
【請求項６】
前記開閉自在な閉鎖手段の両端部に隣接する上側部分をヒートシールした請求項５に記載の液体収容バッグ。
【請求項７】
液体が濃縮経腸栄養剤である請求項１〜６のいずれかに記載の液体収容バッグ。
【発明の詳細な説明】
【技術分野】
【０００１】
本発明は、予め液体の収容された液体収容バッグに関するものであり、特許文献１（特開平１１−２８５５１８号公報）の発明の改良に関する。
【背景技術】
【０００２】
従来、経口からの栄養摂取が困難な患者に対し、鼻や口からカテーテルを挿入して経腸栄養剤を注入する方法が行われている。詳しくは、経腸栄養バッグあるいは経腸栄養ボトルに収容された経腸栄養剤を、輸液セットやカテーテルを介して、患者の体内に注入するものである。経腸栄養剤は、濃縮液状あるいは粉末状の経腸栄養剤に水あるいは温湯を加えて調製されたもので、他の容器で調製された後に経腸栄養バッグあるいは経腸栄養ボトルに移し変えられるか、経腸栄養バッグあるいは経腸栄養ボトル内で直接調製される。しかしながら、他の容器で調製した後に移し変える方式のものは、他の清潔な容器を用意するなどの手間がかかるとともに、ゴミなどが混入する可能性が高いという欠点がある。また、経腸栄養バッグ内で直接調製するものとして、例えば特許文献２に示すものがある。このものは、液体に分散あるいは溶解する固形または液状の物質が収容された、再封鎖可能な液体注入口を備えた袋状容器であり、その実施例中には、液体注入口をチャックシールで構成したものや、さらにチャックシールの外側に熱シールしたシール部を設け、使用時にこの熱シール部をはさみで切り落とすものなどが開示されているが、液体注入口をチャックシールのみで構成したものは、密封性が悪く、収容した経腸栄養剤の品質に影響を及ぼす虞があり、また、バージンプルーフが困難であるという欠点を有している。また、チャックシールの外側に熱シールしたシール部を設けた構成のものは、鋏を使用しなければならない等作業効率が悪いという欠点を有している。
【０００３】
そこで、本出願人の一人は、如上の欠点を解消するものとして、すでに、特許文献１に示すような液体収容バッグを提案している。このものは、上部が開閉自在な閉鎖手段で閉鎖されるとともに、下部に液体出口が設けられ、前記閉鎖手段に近接して設けられた容易に剥離可能な隔壁により、上下に流体密に区画された内部空間を有するもので、区画された下の内部空間には液体が収容されている。しかしながら、このものは、隔壁の幅を小さくすると落下事故などにより隔壁が剥離する虞がある一方、隔壁の幅を大きくすると隔壁を剥離し難くなると言う欠点を有しており、改良の必要があった。
【特許文献１】特開平１１−２８５５１８号公報
【特許文献２】特開昭５７−８６２７５号公報
【発明の開示】
【発明が解決しようとする課題】
【０００４】
本発明は如上の事情に鑑みてなされたもので、容易に剥離可能であり、かつ落下事故などにより剥離することのない隔壁を備えた液体収容ベッグを提供することを目的とする。
【課題を解決するための手段】
【０００５】
本発明者等は、上記の課題を解決するために鋭意検討の結果、隔壁の幅を両端部に向って漸次拡幅させることにより落下事故による隔壁の剥離を防ぐことができ、また、隔壁の中央部を丸みを帯びた山形に形成することにより剥離が容易になることに想到し、本発明を完成した。すなわち本発明は、上部が開閉自在な閉鎖手段で閉鎖されるとともに下部に液体出口が設けられてなる袋体の内部空間が、前記閉鎖手段に近接して設けられた容易に剥離可能な隔壁により上下に流体密に区画され、該区画された下側の空間に液体が収容されてなるバッグであって、前記隔壁は、中央部が丸みを帯びた山形に形成されるとともに、中央部から両端部に向って漸次拡幅されてなる液体収容バッグである。ここで、バッグの上部内壁の汚染を防止するために、閉鎖手段より上側の部分をシールして該閉鎖手段を密封してもよく、この閉鎖手段を密封する側辺シール部分に、密封部分を取り除きやすくするためのノッチを設けてもよい。また、隔壁の両端部の幅は中央部の幅の２倍以上であるのが好ましい。また、閉鎖手段としてはチャックシールが好ましい。チャックシールの両端部は、液剤の調製後チャックシートを閉鎖した後で液漏れが起こらないように、隣接する上側部分をヒートシールするのが好ましい。内部に収容される液体としては濃縮経腸栄養剤が好ましい。
【発明の効果】
【０００６】
本発明の液体収容バッグを使用すれば、内部に収容された液体が濃縮経腸栄養剤の場合、その品質が劣化することなく長期間保存できるとともに、水等を供給の際の手間が省ける。また、容易に剥離可能な隔壁（弱シール部）によるバージンプルーフ機能も備えていることから、安全性のチェックも行うことができる。また、弱シール部の形状を、中央部が丸みを帯びた山形で、両端部に向かって漸次拡幅されたものにすることにより、外部からの圧迫による開封が容易になり、落下衝撃などによる弱シール部の開封を防止することができる。
【発明を実施するための最良の形態】
【０００７】
次に本発明を図面に基づいて説明する。
図１は本発明の一実施例を示す平面図である。
図１に示す液体収容バッグは、上部が開閉自在なチャックシール２で閉鎖されており、下部に液体出口４が設けられ、チャックシール２に近接して容易に剥離可能な隔壁（弱シール部３）が設けられている。液体収容バッグの内部空間はこの弱シール部３により上下に流体密に区画されており、下側の内部空間（液体収容室１）には液体が収容されている。そして弱シール部３は、中央部３１が山形に形成されるとともに、両端部３２が拡幅されている。
【０００８】
液体収容バッグは、ポリエチレンやポリプロピレン、ポリアミド（ＰＡ）、ポリエステル（ＰＥＴ）、エチレン−酢酸ビニル共重合体などの合成樹脂シート（ラミネートシートを含む）を２枚重ねてその縁部を溶着して袋体に形成し、上部に閉鎖手段（チャックシール２）とこれに近接する弱シール部３を設け、下部に液体出口４を設けたものであり、弱シール部３より下側の内部空間（液体収容室１）には液体が収容されている。この液体収容室１に収容される液体が長期間保存されるものである場合や酸化しやすいものの場合には、合成樹脂シートとして、アルミ箔をラミネートするなど、酸素不透過性を付与したものが好ましく採用される。液体の酸化防止のためには、少なくとも液体収容室１をアルミ箔などで被覆等の処置をしてもよい。液体収容バッグの上部には必要ならば吊り下げ穴５を設けてもよく、これによりバッグを点滴スタンドから吊り下げて使用することができる。吊り下げ手段としては、吊り下げ穴５に限定されず、例えば上部に紐をループ状に固着したものであってもよい。
【０００９】
液体収容バッグの上部は、予め収容されている例えば濃縮経腸栄養剤を薄める水あるいは温湯等を供給するための供給口６になっており、供給口６は開閉自在な閉鎖手段としてのチャックシール２で閉鎖されている。このチャックシール２はバッグの内壁の対向する位置に設けられた凸条と凹条が嵌合して閉鎖する構造になっており、必要に応じて開いたり閉じたりすることができる。尚、閉鎖手段としては、供給口６を円筒状に形成して、この供給口６に嵌合する蓋体を採用してもよい。ここで、バッグの上部内壁の汚染を防止するために、チャックシール２より上側の部分をシールしてチャックシール２を密封してもよく、このチャックシール２を密封するシール部分８の側辺に、密封部分を取り除きやすくするためのノッチ９を設けてもよい。また、液剤の調製後チャックシール２を閉鎖した後で液漏れが起こらないように、チャックシール２の両端部に隣接する上側部分には、例えばヒートシールなどの方法によりヒートシール部７を設けるのが好ましい。
【００１０】
バッグの内部空間は、チャックシール２に近接して下部側に設けられた容易に剥離可能な隔壁としての例えば弱シール部３によって、上下に流体密に区画されている。この弱シール部３は、液体収容室１を外部から圧迫することにより容易に剥離開封することができるもので、例えばバッグを構成するシートの間に弱溶着シートを挟んでヒートシールすることにより形成することができる。また、バッグを構成するシート同士が溶着しない温度に制御して帯状に外部から加圧することにより形成することができる。弱シール部３は、中央部３１が上に突出した形状の所謂丸みを帯びた山形に形成されるとともに、両端部３２方向に漸次拡幅されている。中央部分を凸状すなわち丸みを帯びた山形に形成することにより、中央部３１の１部に生じた剥離が山の線に沿って伝染して開封するようになっている。また、両端部３２に向かってシール幅が漸増するように形成することにより、弱シール部３の両端で生じやすい落下衝撃による弱シール部の開封を防ぐことができる。弱シール部３の両端部３２の幅は中央部３１の幅の２倍以上であるのが好ましく、より好ましくは３倍以上である。尚、弱シール部３はチャックシール２に近接して設けられるが、余りに近接した位置に設けると、弱シール部３の開封の際に誤ってチャックシール２まで開放してしまう虞があるので、５ｍｍ以上の間隔を置くのが好ましい。
【実施例】
【００１１】
〔試験例〕  肉厚９９μｍのプラスチック製ラミネートシートを用いて、弱シール部に特徴のある本発明の液体収容バッグ（実施例）と、改良前の液体収容バッグ（比較例）について、落下による弱シール部の開封試験（落下試験）を行ったところ表１のような結果が得られた。尚、液体収容バッグのサイズは縦２８０ｍｍ、横２００ｍｍであり、シール部のヒートシール幅は１０ｍｍ、同シール強さは４０Ｎ／１５ｍｍ、弱シール部のヒートシール強さは１２Ｎ／１５ｍｍであった。また、弱シール部の幅は、実施例では中央部３ｍｍ、両端８ｍｍであり、比較例では一様に３ｍｍであった。また、落下試験は、外箱単位（１８袋）で行い、落下方法は、２０℃６５％ＲＨ雰囲気下で２４時間調湿後、６０ｃｍの高さから６回（落下時床に衝突する場所：角１、稜３、側面２）、９０ｃｍの高さから２回（落下時床に衝突する場所：底面）落下させる方法を採用した。
また、プラスチック製ラミネートシートとしては、外層がポリエステルで内層が未延伸プロピレンのラミネートシート：ＰＥＴ／蒸着ＰＥＴ／ＰＡ／ＣＰＰを採用しており（但し、ＰＥＴはグレード名ＰＣ、ユニチカ（株）製；蒸着ＰＥＴはグレード名１０３１ＨＧ、東洋メタライジング（株）製；ＰＡはグレード名ＯＮＭＢＲＴ、ユニチカ（株）製；ＣＰＰはグレード名Ｃ１５０６、東洋紡績（株）製）、弱溶着シートとしては、ポリプロピレン（グレード名９５０１−改、東レ合成フィルム（株）製）のシートを採用した。
表１から、本発明の液体収容バッグでは、落下事故による液体収容バッグの弱シール部の開封が防止されているのがわかる。
【００１２】
【表１】
2005040630.tif 000003
【００１３】
本発明の液体収容バッグの使用に際しては、先ず、ノッチ９から引き裂いてチャックシール２を密封するシール部分８を取り除き、液体収容室１を外部から圧迫して弱シール部３を開封した後、チャックシール２を開放して水あるいは温湯を供給する。次に、チャックシール２を閉鎖して、バッグを揉んで液体収容室１の濃縮経腸栄養剤と水あるいは温湯を混合する。そして、液体出口４の閉鎖部材４１をねじ切り、ここに例えばゴム管タイプの点滴セットを接続すればよい。尚、バッグには所定量の精製水等を収容し、粉末透析用剤と混合できるようにすることもできる。
【図面の簡単な説明】
【００１４】
【図１】本発明の一実施例を示す概略平面図である。
【符号の説明】
【００１５】
１    液体収容室
２    チャックシール（閉鎖手段）
３    弱シール部（容易に剥離可能な隔壁）
３１  中央部
３２  両端部
４    液体出口
４１  閉鎖部材
５    吊り下げ穴
６    供給口
７    ヒートシール部
８    シール部分
９    ノッチ
【図１】
2005040630.tif 000004